(57)【特許請求の範囲】
【請求項１】
座席クッションであって、
乗客の快適性を得るための連続気泡フォームの上部層と、
浮揚性および構造上の支持を得るための独立気泡フォーム・コアと、
前記座席クッションの下側に位置付けられて、下に存在する座席フレームの梁に直接係合して、前記座席クッションを前記座席フレームに取り付けるための支持構造と、
を備えており、
前記支持構造は、前記座席クッションから分離されないように前記座席クッションに一体化されている、座席クッション。
【請求項２】
前記支持構造が、前記座席クッションの前記下側を被覆するプラットフォームを構成する、請求項１に記載の座席クッション。
【請求項３】
前記プラットフォームが、中間平坦部分を介して接続されている、間隔を空けて配置された半円形の部分を備え、前記半円形の部分が、間隔を空けて配置された前記座席フレームの筒状梁に直接係合するように形作られている、請求項２に記載の座席クッション。
【請求項４】
前記支持構造が、中央部分を介して接続されている、間隔を空けて配置されているとともに上向きに延在する湾曲したフランジを備え、前記間隔を空けて配置されているとともに上向きに延在する湾曲したフランジが、前記座席フレームの筒状梁に係合するために、前記座席フレームの筒状梁と相補的であるように形作られている、請求項１に記載の座席クッション。
【請求項５】
前記支持構造が剛性であり、単体である、請求項１〜４のいずれか一項に記載の座席クッション。
【請求項６】
前記支持構造が、間隔を空けて配置された複数の半円形のクリップを備える、請求項１〜５のいずれか一項に記載の座席クッション。
【請求項７】
前記支持構造が、連続気泡フォームの上部層および前記独立気泡フォーム・コアの厚さと比較して、僅かな厚さを有する、請求項１〜６のいずれか一項に記載の座席クッション。
【請求項８】
前記支持構造が、下に存在する座席フレームの梁にスナップ嵌め係合する、請求項１〜７のいずれか一項に記載の座席クッション。
【請求項９】
前記支持構造が、連続気泡フォームの前記上部層および前記独立気泡フォーム・コアのうちの１つ内に少なくとも部分的に封入される、請求項１〜８のいずれか一項に記載の座席クッション。
【請求項１０】
前記独立気泡フォーム・コアは、前記支持構造の一部を被覆するように構成されており、
前記支持構造の前記一部は、下に存在する座席フレームの梁に直接係合する、請求項１〜９のいずれか一項に記載の座席クッション。
【請求項１１】
航空機の乗客用座席であって、
間隔を空けて配置された側方梁を含む座席フレームと、
座席クッションであって、乗客の快適性を得るための連続気泡フォームの上部層、浮揚性および構造上の支持を得るための独立気泡フォーム・コア、ならびに、前記座席クッションの下側に位置付けられて、前記間隔を空けて配置された前記座席フレームの側方梁に直接係合して、付加的な係止具を必要とすることなく、前記座席クッションを前記座席フレームに取り付けるための支持構造を含む、座席クッションと、
を備えており、
前記支持構造は、前記座席クッションから分離されないように前記座席クッションに一体化されている、航空機の乗客用座席。
【請求項１２】
前記支持構造が、前記座席クッションの前記下側を被覆するプラットフォームである、請求項１１に記載の航空機の乗客用座席。
【請求項１３】
前記プラットフォームが、中間平坦部分を介して接続されている、間隔を空けて配置された半円形の部分を備え、前記半円形の部分が、前記間隔を空けて配置された前記座席フレームの側方梁に直接係合し、前記中間平坦部分が、前記間隔を空けて配置された前記座席フレームの側方梁に架け渡される、請求項１２に記載の航空機の乗客用座席。
【請求項１４】
前記支持構造が、前記間隔を空けて配置された前記座席フレームの側方梁に直接係合する、間隔を空けて配置された複数の半円形のクリップを備える、請求項１１に記載の航空機の乗客用座席。
【請求項１５】
前記支持構造が、中央部分を介して接続されている、間隔を空けて配置されているとともに上向きに延在する湾曲したフランジを備え、前記間隔を空けて配置されているとともに上向きに延在する湾曲したフランジが、前記間隔を空けて配置された前記座席フレームの側方梁に係合するために、前記間隔を空けて配置された側方梁と相補的であるように形作られている、請求項１１に記載の航空機の乗客用座席。
【請求項１６】
前記支持構造が、連続気泡フォームの前記上部層および前記独立気泡フォーム・コアのうちの１つ内に少なくとも部分的に封入される、請求項１１〜１５のいずれか一項に記載の航空機の乗客用座席。
【請求項１７】
前記独立気泡フォーム・コアは、前記支持構造の一部を被覆するように構成されており、
前記支持構造の前記一部は、下に存在する座席フレームの梁に直接係合する、請求項１１〜１６のいずれか一項に記載の航空機の乗客用座席。
【発明の詳細な説明】
【技術分野】
【０００１】
本発明は、概して座席クッションの構築に関し、より詳細には、座席クッションであって、乗客の快適性を得るための連続気泡フォーム（ｏｐｅｎ  ｃｅｌｌ  ｆｏａｍ）の層と、浮揚性（ｆｌｏｔａｔｉｏｎ）および構造上の支持を得るための独立気泡フォーム・コア（ｃｌｏｓｅｄ  ｃｅｌｌ  ｆｏａｍ  ｃｏｒｅ）と、座席クッションの下側に位置付けられて、下に存在する座席フレームの梁に直接係合して、座席クッションを座席フレームに取り付けるための支持構造と、を含む、座席クッションに関する。
【背景技術】
【０００２】
航空機の乗客用座席クッションは、典型的に、構造上の支持および浮揚性を得るためのフォームを含む。従来の座席クッションは、それらの構築およびフォームのタイプに関係なく、典型的に、下に存在する金属座席パンもしくは複合座席パンか、または、座席横木に架け渡された布地隔膜に対し、座席クッションを取り付けるための係止具を必要とする。
【０００３】
図５を参照すると、参照番号５０において、従来の航空機の座席クッションが包括的に示されており、当該従来の航空機の座席クッションは、面ファスナー５６を使用して、硬質の浮揚性フォーム・スラブ５４の上部に取り付けられた軟質のフォーム・クッション５２を含んでいる。図６を参照すると、それ自体の一体化された係止具を有していない組み付けられた座席クッション５０は、主要座席横木６０に係止された硬質金属またはプラスチックのパン５８に取り付けられなければならない。代替的に、図７を参照すると、座席クッション５０は、主要座席横木６０を横切って引き伸ばされた、薄く可撓性の隔膜６２に取り付けられ得る。下に存在する、横木６０に架け渡された部材のタイプに関係なく、このような部材の存在と、従来の座席クッションの構築とは、クッションを座席フレームに取り付けるための、付加的なコンポーネントおよび係止具を必要とし、したがって、部品の個数、組み付け時間、重量およびコストを増大させてしまう。
【発明の概要】
【発明が解決しようとする課題】
【０００４】
それ故に、先行技術の座席クッションの欠点を克服し、座席クッションを、下に存在するフレームに取り付けるための付加的な係止具および製造ステップに対する必要性をなくす、改善された座席クッションの構築を提供することが望ましいであろう。
【課題を解決するための手段】
【０００５】
一態様において、一体化された座席フレーム取り付け構造を含む座席クッションが、本明細書において提供される。
【０００６】
別の態様において、一体化構造は、座席の側方梁に架け渡された、別個の座席パンまたは隔膜に対する必要性だけでなく、座席クッションを座席パンまたは隔膜に取り付けるための付加的な係止具に対する必要性をもなくす。
【０００７】
別の態様において、座席クッションは、一般に、コンフォート・フォームの層と、浮揚性および構造上の支持を得るための浮揚性フォームの層と、座席クッションを、下に存在する側方座席梁に直接取り付けるための一体化構造とを含む。
【０００８】
さらに別の態様において、一体化構造は、プラットフォームまたは他の剛体であり得、この構造は、クッション内に少なくとも部分的に封入され得るか、またはその他の態様で、クッションに保定され得る。
【０００９】
さらに別の態様において、一体化構造は、座席クッションを座席フレームに直接取り付けるだけでなく、乗客の重量を支持するようにも機能する。
【００１０】
さらに別の態様において、座席クッションは、側方座席梁に直接スナップ係合する。
【００１１】
上述および他の、態様および利点を達成するために、一実施形態において、座席クッションであって、乗客の快適性を得るための連続気泡フォームの上部層と、浮揚性および構造上の支持を得るための独立気泡フォーム・コアと、座席クッションの下側に一体化されて、下に存在する座席フレームの梁に直接係合して、座席クッションを座席フレームに取り付けるための剛性構造とを含む、座席クッションが、本明細書において提供される。
【００１２】
剛性構造は、座席クッションの下側を実質的に被覆して位置付けられた単体のプラットフォームであり得る。プラットフォームは、座席クッションの底部から離れる方向に開いており、かつ、ほぼ平坦な中間部分で相互接続されている、間隔を空けて配置された半円形の窪んだ部分を規定することが考えられ、ここで、窪んだ部分は、座席フレームの梁に係合する。窪んだ部分は、下に存在する座席フレームの梁にスナップ嵌め係合し得る。
【００１３】
プラットフォームは、上向きに延在して座席フレームの梁に係合する湾曲したフランジにおける対向端部において終端する、ほぼ平坦な中央部分を含み得る。剛性構造は、間隔を空けて配置された複数の半円形のクリップを含み得る。
【００１４】
剛性構造は、連続気泡フォームの上部層および独立気泡フォーム・コアの厚さと比較して、僅かな厚さを有するシートであり得る。
【００１５】
剛性構造は、連続気泡フォームの上部層および独立気泡フォーム・コアのうちの少なくとも１つ内に少なくとも部分的に封入され得る。
【００１６】
この発明の別の実施形態によると、その上の座席クッションを支持するための、間隔を空けて配置された側方梁を有する座席フレームと、座席クッションであって、乗客の快適性を得るための連続気泡フォームの上部層、浮揚性および構造上の支持を得るための独立気泡フォーム・コア、ならびに、座席クッションの下側に位置付けられて、間隔を空けて配置された座席フレームの側方梁に直接係合して、クッションを座席フレームに取り付けるための剛性プラットフォームを含む、座席クッションとを含む、航空機の乗客用座席が、本明細書において提供される。
【００１７】
剛性プラットフォームは、単体であり得るか、または、下に存在する側方梁とアライメントして座席クッションの下側に位置付けられた複数のクリップを含み得る。剛性プラットフォームは、間隔を空けて配置された側方梁にスナップ嵌め係合して、その上に座席クッションを装着することが考えられ、鋲を使用するなどして、側方梁に直接取り付けられる別個の座席パンまたは隔膜に対する必要性だけでなく、座席クッションを座席パンまたは隔膜に取り付けるための付加的な係止具に対する必要性をもなくす。剛性プラットフォームは、連続気泡フォームの上部層および独立気泡フォーム・コアのうちの１つ内に少なくとも部分的に封入され得るか、またはその他の態様で、クッション上に保定され得る。
【００１８】
この発明の付加的な特徴、態様、および利点は、以下に続く詳細な説明中に記載されており、部分的には、当業者にとって当該説明から直ちに自明になるか、または、本明細書に記載されるこの発明を実践することによって認識されるであろう。前述の包括的な説明と、以下の詳細な説明との両方が、この発明の様々な実施形態を提示しており、この発明の特性および特質を、この発明が特許請求される通りに理解するための概観または枠組みを提供することが意図されている旨を理解されるべきである。添付の図面は、この発明のさらなる理解をもたらすために含まれており、この明細書に組み込まれ、この明細書の一部を構成する。
【００１９】
本発明の、これらのおよび他の、特徴、態様、および利点は、以下の図を含む添付の図面を参照して、この発明の以下の詳細な説明を読まれると、より深く理解される。
【図面の簡単な説明】
【００２０】
【図１】下に存在する座席フレームの梁の上方の位置にある、この発明の実施形態によって構築された座席クッションを示す図である。
【００２１】
【図２ａ】座席クッションの支持構造の様々な形状のうちの１つを示す図である。
【図２ｂ】座席クッションの支持構造の様々な形状のうちの１つを示す図である。
【図２ｃ】座席クッションの支持構造の様々な形状のうちの１つを示す図である。
【図２ｄ】座席クッションの支持構造の様々な形状のうちの１つを示す図である。
【図２ｅ】座席クッションの支持構造の様々な形状のうちの１つを示す図である。
【図２ｆ】座席クッションの支持構造の様々な形状のうちの１つを示す図である。
【００２２】
【図３】この発明の実施形態によって構築されて取り付けられた座席クッションを含む航空機の乗客用座席の図である。
【００２３】
【図４】座席クッションがスナップ嵌め係合している、下に存在する座席梁を例示するために、航空機の乗客用座席から取り外された座席クッションを示す図である。
【００２４】
【図５】一体化された支持構造を有していない、関連技術の座席クッションを示す図である。
【００２５】
【図６】座席クッションが取り付けられる側方梁に架け渡された金属座席パンまたは複合座席パンを含む、関連技術の座席フレームを示す図である。
【００２６】
【図７】座席クッションが取り付けられる側方梁に架け渡された布地隔膜を含む、関連技術の座席フレームを示す図である。
【発明を実施するための形態】
【００２７】
以下において、この発明の例示的実施形態が示されている添付の図面を参照して、本発明について、これからより充分に説明する。しかしながら、この発明は、多くの異なる形で具現化されてよく、本明細書において記載される代表的な実施形態に限定されるものとして解釈されるべきではない。例示的実施形態は、この開示が徹底したものであると同時に完全なものであるように、そして、この発明の範囲を充分に伝達して、当業者の一人による、この発明の作製、使用、および実践を可能にするように、提供される。同じ参照番号は、様々な図面の全てにわたり、同じ要素を指す。
【００２８】
本明細書において示され、説明される座席クッションの実施形態は、航空機の座席において、および、より快適であって、より耐久性を有し、より容易に設置可能な座席クッションが所望される他の座席設置用途において、使用され得る。本明細書において提供される座席クッションの実施形態は、軽量であって、かつ、ＦＡＡの浮揚性に対応しているクッションを必要とする航空機用の座席において、および、本明細書において「側方横木」とも称される、その上で座席クッションを支持するための、間隔を空けて配置された側方梁を有する座席フレームを含む座席用途において、特に良く適する。座席クッションが、座席フレームの側方梁、特に２つの側方梁に係合するように構成されていることが示されているが、支持プラットフォームは、他の座席フレーム構造に直接係合するように構成され（たとえば形作られ）得ることが想定される。
【００２９】
本明細書において示され、説明される座席クッションの実施形態は、座席フレームの、間隔を空けて配置された側方梁に取り付けられ（たとえば鋲留めされ）、当該側方梁に架け渡されている、事前に設置された、金属パンもしくは複合パン、または、布地隔膜に対する必要性をなくす。本明細書において示され、説明される座席クッションの実施形態はさらに、座席クッションを座席フレームの側方梁に取り付けるための付加的な係止具に対する必要性をなくす。
【００３０】
図１を参照すると、参照数字２０において、この発明の一実施形態によって構築された座席クッションが包括的に示されている。座席クッション２０は、一般に、コンフォート・フォーム２２の上部層と、浮揚性および構造上の支持を得るための、下に存在するフォーム・コア２４と、座席クッションの下側に位置付けられた剛性支持構造２６とを含む。コンフォート・フォーム２２の上部層は、たとえば、ポリウレタンなどの連続気泡フォームから構築され得る。独立気泡フォーム・コア２４は、たとえば、ポリエチレンから構築され得る。コンフォート・フォームおよび独立気泡フォームの配列は、層または他の配列で提供されてよく、示されている配列は、この発明を限定することが意図されない。図示されていないが、座席クッション２０は、添加剤、被膜、被覆、接着剤、止水層、断熱層、内張りなどを含んでもよい。
【００３１】
剛性支持構造２６は、乗客の重量を支持すること、および、付加的な係止具に対する必要性のない状態で、座席フレームの、下に存在する側方梁に座席クッション２０を直接取り付けることが意図される。支持構造２６は、連続気泡フォーム２２の上部層および独立気泡フォーム・コア２４の厚さと比較して、僅かな厚さを有する。
【００３２】
図１に示されるように、支持構造２６は、座席クッション２０の底部を実質的に被覆して位置付けられるシート状プラットフォーム２８の形をとり得る。一実施形態において、プラットフォーム２８は、単体であって、中間平坦部分３２を介して接続されている、間隔を空けて配置された半円形の部分３０を規定する。中間部分３２は、下に存在する側方梁３４に架け渡され、半円形の部分３０が側方梁の上方でアライメントするように、当該半円形の部分３０を、間隔を空けて離して配置する。
【００３３】
半円形の部分３０は、示されているように筒状である、間隔を空けて配置された側方梁３４と相補的であるように形作られる。半円形の部分３２は、好ましくは、側方梁３４にスナップ嵌め係合する。側方梁が、円筒形以外の形状を有し得ることが想定され、支持構造２６の窪んだ部分は、側方梁の形状に相補的であるように形作られ得る。座席クッション２０は、窪んだ部分と側方梁との間における締り嵌めという方式によって、および／または、座席クッションの内張りによって、座席フレーム上の定位置に保持され得る。
【００３４】
図２ａ〜図２ｆを参照すると、支持構造２６は他の形状を有してよく、それらのうちのいくつかのみが例示されている。図２ａを特に参照すると、支持構造２６は、中央部分３８を介して接続されている、間隔を空けて配置され、上向きに延在する湾曲したフランジ３６を規定することが考えられ、ここで、間隔を空けて配置され、上向きに延在する湾曲したフランジは、座席フレームの、間隔を空けて配置された筒状梁にタイト・フィット係合するために、当該筒状梁と相補的であるように形作られる。図２ｂを参照すると、支持構造２６は、軽量であることを求めて、窓付き中央部分４０を含み得る。図２ｃを参照すると、支持構造２６は、強度を増すために、波形の中央部分４２を含み得る。図２ｄを参照すると、支持構造２６は、下に存在する側方梁とアライメントして、座席クッション２０の底部の角部のあたりに位置付けられた、間隔を空けて配置された複数の半円形のクリップ４４を含み得る。図２ｅおよび図２ｆを参照すると、支持構造２６は、それぞれ、間隔を空けて配置されたセグメントを含み得るか、または、単体であり得る。
【００３５】
支持構造２６は、座席クッション２０の構築に一体化されており、したがって、その恒久部品を形成する。支持構造２６は、接合によるなどして、座席クッション２０の底部に取り付けられ得るか、または、連続気泡フォーム２２および独立気泡フォーム・コア２４のうちの１つ内に少なくとも部分的に封入され得る。
【００３６】
図３および図４を参照すると、別の実施形態において、その上の座席クッション２０を協同して支持する、間隔を空けて配置された側方梁３４を有する座席フレームを含む、航空機の乗客用座席４６が、本明細書において提供される。座席クッション２０は、側方梁３４にスナップ嵌め係合して、事前に設置された座席パンまたは布地隔膜、および付加的な係止具に対する必要性のない状態で、座席クッションを座席フレームに取り付ける。
【００３７】
前述の説明は、例としてのみ、この発明の実施形態を提供する。他の実施形態が、同様の機能を実施し得ること、および／または、同様の結果を達成し得ることが想定される。あらゆる全てのこのような等価な実施形態および例が、本発明の趣旨および範囲内にあり、添付の特許請求の範囲によって包含されることが意図される。
【図１】
0005913729.tif 000002
【図２ａ】
0005913729.tif 000003
【図２ｂ】
0005913729.tif 000004
【図２ｃ】
0005913729.tif 000005
【図２ｄ】
0005913729.tif 000006
【図２ｅ】
0005913729.tif 000007
【図２ｆ】
0005913729.tif 000008
【図３】
0005913729.tif 000009
【図４】
0005913729.tif 000010
【図５】
0005913729.tif 000011
【図６】
0005913729.tif 000012
【図７】
0005913729.tif 000013